(57)【要約】【課題】水が収容カバーの上下方向に直線状に延びる溝部をつたわって内部に侵入することを防止することができる電気接続箱を提供すること。【解決手段】電気部品１１ａが内部に収容される収容カバー２００を有し、該収容カバー２００のカバー外面１０ｄ，５２ａに上下方向に直線状に延びる溝部２０，５３が形成されてなる電気接続箱において、前記収容カバー２００が、前記溝部２０，５３の溝面２０ｂ，５５ａが下方に向けて折り返されるように形成された壁からなる折り返し壁部６０，３００を有してなる。【選択図】図８
2014003880.tif 000002
【特許請求の範囲】
【請求項１】
電気部品が内部に収容される収容カバーを有し、該収容カバーのカバー外面に上下方向に直線状に延びる溝部が形成されてなる電気接続箱において、
前記収容カバーが、
前記溝部の溝面が下方に向けて折り返されるように形成された壁からなる折り返し壁部を有してなることを特徴とする電気接続箱。
【請求項２】
前記収容カバーは、
前記電気部品が内部に収容される箱本体と、該箱本体の下部を覆うロアカバーとを有してなり、
前記溝部は、
前記ロアカバーに形成される溝であるロアカバー側溝部を有してなり、
前記折り返し壁部は、
前記ロアカバー側溝部に形成されてなることを特徴とする請求項１に記載の電気接続箱。
【請求項３】
前記溝部は、
前記箱本体の上端から下端まで直線状に延びるように形成された溝であり、溝内に電気接続部材の接続部が収容される箱側溝部を有してなり、
前記ロアカバー側溝部は、
前記箱側溝部を下方に延在するように前記箱側溝部に連接されてなることを特徴とする請求項２に記載の電気接続箱。
【請求項４】
前記折り返し壁部は、
前記箱側溝部内に配置された前記電気接続部材との隙間を小さくするように前記電気接続部材の外周に沿うように形成されてなることを特徴とする請求項３に記載の電気接続箱。
【請求項５】
前記収容カバーは、
前記箱側溝部の溝開口を覆うカバーであり、かつ前記箱側溝部に設けられた折り返し壁部とで前記箱側溝部内に配置された前記電気接続部材との隙間を小さくするように前記電気接続部材の外周を囲うように設けられてなる囲い壁部を含むサイドカバーを有してなることを特徴とする請求項４に記載の電気接続箱。
【請求項６】
前記折り返し壁部は、
向かい合う溝側面の一方の溝側面から他方の溝側面まで前記溝面を横切るように連続的に設けられてなることを特徴とする請求項１、２、３、４または５に記載の電気接続箱。
【請求項７】
前記折り返し壁部は、
前記溝部の延在方向に沿って間隔を空けて複数箇所に設けられ、上側の折り返し壁部が下側の折り返し壁部から上方に延在された前記溝面が折り返されるように形成された壁からなることを特徴とする請求項１、２、３、４、５または６に記載の電気接続箱。
【請求項８】
前記折り返し壁部は、
前記溝面に対して鈍角を形成するように屈曲される鈍角形成屈曲部を有してなることを特徴とする請求項１、２、３、４、５、６または７に記載の電気接続箱。
【発明の詳細な説明】
【技術分野】
【０００１】
本発明は、電気部品が内部に収容される収容カバーを有してなる電気接続箱に関する。
【背景技術】
【０００２】
従来、例えば自動車に搭載されている電子機器に電力を供給するため、コネクタ、リレー、ヒューズ等の電気部品が集約して構成されてなる電気接続箱がエンジンルームに設置される。このような電気接続箱は、電気部品が内部に収容される収容カバーを有してなる。この収容カバーは、例えば、電子部品が収容される箱本体と、箱本体の下部を覆うロアカバーとを有してなり、小型化、あるいは剛性を向上させるため、上下方向に直線状に延びる溝部がカバー外面に形成されるものがある（例えば、特許文献１参照）。
【０００３】
特許文献１に記載された電気接続箱は、箱本体の上端から下端まで直線状に延びるように箱外面に形成された箱側溝部内に電気接続部材の接続部分が収容され、箱側溝部の溝開口がサイドカバーによって覆われ、ロアカバーには、箱側溝部を下方に延在するように箱側溝部に連接されるロアカバー側溝部が形成され、このロアカバー側溝部から端子付き電線等の電気接続部材が導出されるようになっている。
【先行技術文献】
【特許文献】
【０００４】
【特許文献１】特開２００７−２８２３９９号公報
【発明の概要】
【発明が解決しようとする課題】
【０００５】
しかしながら、特許文献１に記載の電気接続箱は、エンジンルームが高圧の水によって洗浄されると、ロアカバーに形成されたロアカバー側溝部等、収容カバーのカバー外面に形成された上下方向に直線状に延びる溝部が水の流路となり、溝面をつたわって上方に移動された水がロアカバーと箱本体との合わせ目等から電気接続箱内に侵入してしまうおそれがあった。
【０００６】
本発明は、上記に鑑みてなされたものであって、水が収容カバーの上下方向に直線状に延びる溝部をつたわって内部に侵入することを防止することができる電気接続箱を提供することを目的とする。
【課題を解決するための手段】
【０００７】
上述した課題を解決し、目的を達成するために、本発明の請求項１に係る電気接続箱は、電気部品が内部に収容される収容カバーを有し、該収容カバーのカバー外面に上下方向に直線状に延びる溝部が形成されてなる電気接続箱において、前記収容カバーが、前記溝部の溝面が下方に向けて折り返されるように形成された壁からなる折り返し壁部を有してなることを特徴とする。
【０００８】
また、本発明の請求項２に係る電気接続箱は、上記の発明において、前記収容カバーは、前記電気部品が内部に収容される箱本体と、該箱本体の下部を覆うロアカバーとを有してなり、前記溝部は、前記ロアカバーに形成される溝であるロアカバー側溝部を有してなり、前記折り返し壁部は、前記ロアカバー側溝部に形成されてなることを特徴とする。
【０００９】
また、本発明の請求項３に係る電気接続箱は、上記の発明において前記溝部は、前記箱本体の上端から下端まで直線状に延びるように形成された溝であり、溝内に電気接続部材の接続部が収容される箱側溝部を有してなり、前記ロアカバー側溝部は、前記箱側溝部を下方に延在するように前記箱側溝部に連接されてなることを特徴とする。
【００１０】
また、本発明の請求項４に係る電気接続箱は、上記の発明において、前記折り返し壁部は、前記箱側溝部内に配置された前記電気接続部材との隙間を小さくするように前記電気接続部材の外周に沿うように形成されてなることを特徴とする。
【００１１】
また、本発明の請求項５に係る電気接続箱は、上記の発明において、前記収容カバーは、前記箱側溝部の溝開口を覆うカバーであり、かつ前記箱側溝部に設けられた折り返し壁部とで前記箱側溝部内に配置された前記電気接続部材との隙間を小さくするように前記電気接続部材の外周を囲うように設けられてなる囲い壁部を含むサイドカバーを有してなることを特徴とする。
【００１２】
また、本発明の請求項６に係る電気接続箱は、上記の発明において、前記折り返し壁部は、向かい合う溝側面の一方の溝側面から他方の溝側面まで前記溝面を横切るように連続的に設けられてなることを特徴とする。
【００１３】
また、本発明の請求項７に係る電気接続箱は、上記の発明において、前記折り返し壁部は、前記溝部の延在方向に沿って間隔を空けて複数箇所に設けられ、上側の折り返し壁部が下側の折り返し壁部から上方に延在された前記溝面が折り返されるように形成された壁からなることを特徴とする。
【００１４】
また、本発明の請求項８に係る電気接続箱は、上記の発明において、前記折り返し壁部は、前記溝面に対して鈍角を形成するように屈曲される鈍角形成屈曲部を有してなることを特徴とする。
【発明の効果】
【００１５】
本発明の請求項１に係る電気接続箱は、前記溝部の溝面をつたわって上方に移動される水が前記折り返し壁部によって前記収容カバーの下方に導出されるので、水が前記収容カバーの上下方向に直線状に延びる前記溝部をつたわって内部に侵入することを防止することができる。
【００１６】
本発明の請求項２に係る電気接続箱は、前記溝部の溝面をつたわって上方に移動される水が前記箱本体に到達される前に前記折り返し壁部によって前記ロアカバーの下方に導出されるので、水がロアカバーの上下方向に直線状に延びる前記ロアカバー側溝部をつたわって内部に侵入することを防止することができる。
【００１７】
本発明の請求項３に係る電気接続箱は、前記ロアカバーの前記ロアカバー側溝部から前記箱本体の前記箱側溝部をつたわって上方に移動される水が前記箱本体に到達される前に前記折り返し壁部によって前記ロアカバーの下方に導出されるので、水がロアカバーの上下方向に直線状に延びるロアカバー側溝部、さらには前記箱側溝部をつたわって内部に侵入することを防止することができる。
【００１８】
本発明の請求項４に係る電気接続箱は、前記電気接続部材と前記箱側溝部との隙間を塞ぐようにして前記折り返し壁部が設けられるので、前記電気接続部材と前記箱側溝部の溝面との隙間を通り抜けて水が上方に移動されることを防ぐことができる。
【００１９】
本発明の請求項５に係る電気接続箱は、前記箱側溝部に設けられた折り返し壁部と、前記サイドカバーの囲い壁部とによって前記電気接続部材の外周と前記箱側溝部の溝面および前記サイドカバーとの隙間を塞ぐようにして囲い込むことができるので、前記電気接続部材と前記箱側溝部の溝面との間隙、および前記電気接続部材と前記サイドカバーとの間隙を通り抜けて水が上方に移動されることを防ぐことができる。
【００２０】
本発明の請求項６に係る電気接続箱は、前記溝面をつたわって上方に移動される水のほぼ全てを前記折り返し壁部に誘導させることができる。
【００２１】
本発明の請求項７に係る電気接続箱は、前記下側の折り返し壁部を超えて上方に移動される水がある場合、その水が前記上側の折り返し壁部によって前記ロアカバーの下方に導出されるので、水が上下方向に直線状に延びる前記溝部をつたわって内部に侵入することをより確実に防止することができる。
【００２２】
本発明の請求項８に係る電気接続箱は、前記鈍角形成屈曲部によって、水が滑らかに下方に誘導されるので、前記折り返し壁部内で水が滞留され、前記折り返し壁部の上方に溢れ出ることを防止することができる。
【図面の簡単な説明】
【００２３】
【図１】図１は、本発明の実施例に係る電気接続箱の分解斜視図である。
【図２】図２は、図１に示した電気接続箱の斜視図である。
【図３】図３は、図２に示した電気接続箱のサイドカバーおよび電気接続部材を省略した図である。
【図４】図４は、図２に示した電気接続箱の折り返し壁部周辺を下方から視た図である。
【図５】図５は、図２に示した電気接続箱のＡ−Ａ線断面図である。
【図６】図６は、図１に示したロアカバーを上部開口側から視た図である。
【図７】図７は、折り返し壁部によって高圧の水が下方に導出されることを説明するための図である。
【図８】図８は、折り返し壁部によって高圧の水が下方に導出されることを説明するための図である。
【図９】図９は、折り返し壁部によって高圧の水が下方に導出されることを説明するための図である。
【図１０】図１０は、図１に示した箱側溝部に設けられた折り返し壁部によって高圧の水が下方に導出されることを説明するための図である。
【図１１】図１１は、図１に示した箱側溝部を下方から視た図であり、折り返し壁部周辺を拡大して示した図である。
【図１２】図１２は、本発明の実施例の変形例１の電気接続箱の折り返し壁部周辺を電気接続箱の斜め下方から視た図ある。
【図１３】図１３は、本発明の実施例の変形例２の電気接続箱の折り返し壁部周辺を電気接続箱の斜め下方から視た図ある。
【図１４】図１４は、本発明の実施例の変形例３の電気接続箱の折り返し部周辺の断面図である。
【図１５】図１５は、本発明の実施例の変形例４の電気接続箱の折り返し壁部周辺を電気接続箱の斜め下方から視た図ある。
【発明を実施するための形態】
【００２４】
以下、図面を参照して、本発明に係る電気接続箱の実施の形態について詳細に説明する。
【実施例】
【００２５】
図１は、本発明の実施例に係る電気接続箱１の分解斜視図である。図２は、図１に示した電気接続箱１の斜視図である。図３は、図２に示した電気接続箱１のサイドカバー４０および電気接続部材１２を省略した図である。図４は、図２に示した電気接続箱１の折り返し壁部６０周辺を下方から視た図である。図５は、図２に示した電気接続箱１のＡ−Ａ線断面図である。図６は、図１に示したロアカバー５０を上部開口側から視た図である。図７−９は、折り返し壁部６０によって高圧の水が下方に導出されることを説明するための図である。図１０は、図１に示した箱側溝部２０に設けられた折り返し壁部３００によって高圧の水が下方に導出されることを説明するための図である。図１１は、図１に示した箱側溝部２０を下方から視た図であり、折り返し壁部３００周辺を拡大して示した図である。
なお、図２および図３では、アッパーカバー３０を透視してその内部が見えるように図示している。
本発明の実施例に係る電気接続箱１は、コネクタ、リレー、ヒューズ等の電気部品１１ａが内部に収容される収容カバー２００を有してなる。
収容カバー２００は、電気部品１１ａが収容される箱本体１０と、箱本体１０の上部を覆うカバーであるアッパーカバー３０と、箱側溝部２０の溝開口２０ａを塞ぐように箱本体１０に取り付けされるサイドカバー４０と、箱本体１０の下部を覆うカバーであるロアカバー５０と、を有してなる。また、収容カバー２００は、カバー外面１０ｄ，５２ａに上下方向に直線状に延びる溝部としての箱側溝部２０およびロアカバー側溝部５３が形成されてなり、溝面が下方に向けて折り返されるように形成された壁からなる折り返し壁部６０，３００を有してなる。
【００２６】
まず、箱本体１０について説明する。
箱本体１０は、絶縁性の合成樹脂からなり、筒状の外壁によって外郭が形成されてなり、コネクタ、リレー、ヒューズ等の電気部品１１ａが装着されたブロック状のカセットブロック１１が内部に区画されて収容されるように仕切り壁１０ａが設けられている。
【００２７】
また、箱本体１０は、上端から下端まで直線状に延びるようにカバー外面としての箱外面１０ｄに形成された箱側溝部２０を有し、箱側溝部２０内に電気接続部材１２の接続部１２ａが収容されるようになっている。
電気接続部材１２は、端子付き電線であり、接続部１２ａとしての端子が箱側溝部２０内に収容され、一端が電気接続箱１内にカセットブロック１１とともに取り付けられた電気部品１１ａに接続され、他端がロアカバー５０の後述するロアカバー側溝部５３から導出され、不図示の外部のバッテリー等に接続されるようになっている。
なお、電気接続部材１２として、端子付き電線を例示したが、これに限らず、電気接続箱１内の電気部品１１ａを外部電源に電気的に接続させるものであれば、その他のものであっても構わない。
【００２８】
このような箱側溝部２０には、サイドカバー４０が箱側溝部２０の上端から下端に向けてスライド移動されて取り付けられるようになっており、この箱側溝部２０の両縁近傍にはサイドカバー４０を取付完了位置で係止するためのサイドカバー係止部２１が設けられている。
【００２９】
サイドカバー係止部２１は、図３に示すように、溝開口２０ａの各縁の近傍に設けられた一対の弾性係合片２１ａを有してなる。各弾性係合片２１ａは、箱本体１０の箱外面１０ｄから僅かに突出されてから上方に向けて屈曲されてなる弾性片である。この弾性係合片２１ａの上方に屈曲された部分に設けられた突起部２１ｂがサイドカバー４０に設けられた後述する突起部４３ｃと係合されることによって、サイドカバー４０が箱本体１０の取付完了位置で係止されるようになっている。
【００３０】
次に、アッパーカバー３０について説明する。
アッパーカバー３０は、図１−図３に示すように、下面が開口された箱形形状をなし、下端縁部３０ａが箱本体１０の上端縁部１０ｂにかぶさるようにして箱本体１０に組み付けられるようになっている。
【００３１】
次に、サイドカバー４０について説明する。
サイドカバー４０は、図１、図２、および図４に示すように、本体部となる板状の板状基部４１に電気接続部材１２を固定するための電気接続部材固定部４２（図４参照）と、サイドカバー係止部２１の各弾性係合片２１ａに係合される一対の係合囲い壁部４３を有してなる。
【００３２】
電気接続部材固定部４２は、板状基部４１の箱本体１０への取り付け側の面４１ａに設けられている。このため、サイドカバー４０が箱本体１０の溝開口２０ａを覆うように取り付けられた場合、箱側溝部２０内に電気接続部材１２の接続部１２ａが収容される。
【００３３】
一対の係合囲い壁部４３の各係合囲い壁部４３は、箱本体１０の各弾性係合片２１ａに対応した位置に設けられ、弾性係合片２１ａの上方に屈曲された部分が内部に挿入可能に板状基部４１の外面４１ｂに設けられてなる囲い壁４３ａと、囲い壁４３ａの上端の一部が自由端となるように上端から下方に向けて形成された切り込みによって形成された弾性片部４３ｂの内面の突起部４３ｃが弾性係合片２１ａの突起部２１ｂに係合されるようになっている。
【００３４】
次に、ロアカバー５０について説明する。
ロアカバー５０は、上面が開口され、底壁５１の縁に沿って立設された周側壁５２を有してなる箱形形状をなし、上端縁部５０ａが箱本体１０の下端縁部１０ｃにかぶさるようにして箱本体１０に組み付けられるようになっている。
【００３５】
このロアカバー５０は、ロアカバー５０の上端から下端まで直線状に延びるように形成されたロアカバー側溝部５３がカバー外面５２ａに形成されてなる。
このロアカバー側溝部５３は、ロアカバー５０を補強するために形成されてなる補強用溝部５４と、箱側溝部２０を下方に延在するように箱側溝部２０に連接される連接溝部５５と、を有してなる。
【００３６】
また、ロアカバー５０は、連接溝部５５の溝面５５ａが下方に向けて折り返されるように形成された壁からなる折り返し壁部６０を有してなる。
折り返し壁部６０は、連接溝部５５の延在方向に沿って間隔を空けて下側と上側との２箇所に設けられている。
【００３７】
下側の折り返し壁部６１は、向かい合う溝側面５５ｂの一方の溝側面５５ｂから他方の溝側面５５ｂまで溝面５５ａを横切るように連続的に設けられてなる。
【００３８】
また、下側の折り返し壁部６１は、溝面５５ａに対して鈍角を形成するように屈曲される鈍角形成屈曲部６１ａを有してなる。このため、下側の折り返し壁部６１は、溝面５３ａに対して鈍角を形成するように屈曲され、その屈曲方向に延在された後に、さらに下方に向けて屈曲されるようになっている。
このような鈍角形成屈曲部６１ａを設けることによって、水が下側の折り返し壁部６１内で滞留されないように、滑らかにロアカバー５０の下方に誘導されるようになっている。
【００３９】
上側の折り返し壁部６２は、下側の折り返し壁部６１に対して上方に位置され、下側の折り返し壁部６１から上方に延在された溝面５５ａが折り返されるように形成された壁からなる。
【００４０】
この上側の折り返し壁部６２は、下側の折り返し壁部６１と同様に、向かい合う溝側面５３ｂの一方の溝側面５３ｂから他方の溝側面５３ｂまで溝面５３ａを横切るように連続的に設けられてなる。
【００４１】
また、上側折り返し壁部６２は、下側の折り返し壁部６１と同様に、溝面５５ａに対して鈍角を形成するように屈曲される鈍角形成屈曲部６２ａを有してなる。このため、上側の折り返し壁部６２は、溝面５５ａに対して鈍角を形成するように屈曲され、その屈曲方向に延在された後に、さらに下方に向けて屈曲されるようになっている。
【００４２】
このように、複数個所に折り返し壁部６０を設ける場合、各折り返し壁部６０の下方には、各折り返し壁部６０内に水を誘導するための溝面５５ａが段状に形成されている。
このため、溝面５５ａは段毎に区切られ、各折り返し壁部６０には下方に位置する一の溝面５５ａをつたわった水が誘導されることになる。
このことから、各折り返し部６０に誘導される水の量は、その下方に位置する一の溝面５５ａの面積によるため、各折り返し部６０の水の侵入口の大きさは、下方に位置する一の溝面５５ａの面積に応じて設定するようにしてもよい。
【００４３】
また、本発明の実施例に係る電気接続箱１は、図１０および図１１に示すように、箱本体１０が、箱側溝部２０の溝面２０ｂが下方に向けて折り返されるように形成された壁からなる折り返し壁部３００を有してなる。
この箱側溝部２０に設けられた折り返し壁部３００が箱側溝部２０内に配置された電気接続部材１２との隙間を小さくするように電気接続部材１２の外周に沿うように形成されてなる。
このため、電気接続部材１２と箱側溝部２０の溝面２０ｂとの隙間を通り抜けて水が上方に移動されないようになっている。
【００４４】
さらにまた、サイドカバー４０は、箱側溝部２０に設けられた折り返し壁部３００とで箱側溝部２０内に配置された電気接続部材１２との隙間を小さくするように電気接続部材１２の外周を囲うように設けられてなる囲い壁部４００を含む。
このため、電気接続部材１２と箱側溝部２０の溝面２０ｂとの隙間、およびサイドカバー４０と電気接続部材１２との隙間を通り抜けて水が上方に移動されないようになっている。
【００４５】
このような、電気接続箱１は、その設置場所となるエンジンルーム内を高圧洗浄する場合、図７および図８に示すように、下側の折り返し壁部６１の下方の溝面５５ａをつたわって上方に移動された水が下側の折り返し壁部６１に誘導されてロアカバー５０の下方に導出される。
この際、図８中の矢印Ｗに示すように、鈍角形成屈曲部６１ａによって水が下側の折り返し壁部６１内に滞留されずに滑らかにロアカバー５０の下方に導出されるので、下側折り返し壁部６１内に水が溜り難い。
【００４６】
一方、下側の折り返し壁部６１の外面である溝面５５ａをつたわって上方に移動された水が上側の折り返し壁部６２に誘導されてロアカバー５０の下方に導出される。この際、下側の折り返し壁部６１と同様に、鈍角形成屈曲部６２ａによって水が上側の折り返し壁部６２内に滞留されずに滑らかにロアカバー５０の下方に導出されるので、上側折り返し壁部６２内に水が溜り難い。
【００４７】
ここで、図９中の矢印Ｗに示すように、下側折り返し壁部６１を超えて上方に移動される水がある場合、その水は上側折り返し壁部６２によってロアカバー５０の下方に導出されることになる。
このようにして、溝部５３の溝面５５ａをつたわって上方に移動される水が箱本体１０に到達される前にロアカバー５０の下方に導出されるようになっている。
【００４８】
また、図１０および図１１中の矢印Ｗに示すように、ロアカバー５０から箱本体１０まで水が上方に移動された場合であっても、箱側溝部２０に設けられた折り返し壁部３００（図１１参照）によって、水が箱側溝部２０の下方に導出されるようになっている。
また、電気接続部材１２と箱側溝部２０の溝面２０ｂとの隙間、およびサイドカバー４０と電気接続部材１２との隙間が、折り返し壁部３００と囲い壁部４００とによって塞がれるように囲われているので、折り返し壁部３００と囲い壁部４００とによって、さらに確実に水が箱側溝部２０の下方に導出されるようになっている。
【００４９】
本発明の実施例に係る電気接続箱１は、連接溝部５５の溝面５５ａ、あるいは
箱側溝部２０の溝面２０ｂをつたわって上方に移動される水が折り返し壁部６０、３００によって収容カバー２００の下方に導出されるので、水が収容カバー２００の上下方向に直線状に延びる溝部をつたわって内部に侵入することを防止することができる。
【００５０】
また、本発明の実施例に係る電気接続箱１は、連接溝部５５の溝面５５ａをつたわって上方に移動される水が箱本体１０に到達される前に折り返し壁部６０によってロアカバー５０の下方に導出されるので、水がロアカバー５０の上下方向に直線状に延びるロアカバー側溝部５３をつたわって内部に侵入することを防止することができる。
【００５１】
また、本発明の実施例に係る電気接続箱１は、ロアカバー５０の連接溝部５５から箱本体１０の箱側溝部２０をつたわって上方に移動される水が箱本体１０に到達される前に折り返し壁部６０によってロアカバー５０の下方に導出されるので、水がロアカバー５０の上下方向に直線状に延びるロアカバー側溝部５３、さらには箱側溝部２０をつたわって内部に侵入することを防止することができる。
【００５２】
また、本発明の実施例に係る電気接続箱１は、電気接続部材１２と箱側溝部２０との隙間を塞ぐようにして折り返し壁部３００が設けられるので、電気接続部材１２と箱側溝部２０の溝面２０ｂとの隙間を通り抜けて水が上方に移動されることを防ぐことができる。
【００５３】
また、本発明の実施例に係る電気接続箱１は、箱側溝部２０に設けられた折り返し壁部３００と、サイドカバー４０の囲い壁部４００とによって電気接続部材１２の外周と、箱側溝部２０の溝面２０ｂおよびサイドカバー４０との隙間を塞ぐようにして囲い込むことができるので、電気接続部材１２と箱側溝部２０の溝面２０ｂとの間隙、および電気接続部材１２とサイドカバー４０との間隙を通り抜けて水が上方に移動されることを防ぐことができる。
【００５４】
また、本発明の実施例に係る電気接続箱１は、溝面５５ａをつたわって上方に移動される水のほぼ全てを折り返し壁部６０に誘導させることができる。
【００５５】
また、本発明の実施例に係る電気接続箱１は、下側の折り返し壁部６１を超えて上方に移動される水がある場合、あるいは上側折り返し壁部６２を超えてさらに上方に移動される水がある場合、その水が上側折り返し壁部６２、あるいは箱側溝部２０に設けられた折り返し壁部３００によって収容カバー２００の下方に導出されるので、水が収容カバー２００の上下方向に直線状に延びるロアカバー側溝部５３、および箱側溝部２０をつたわって内部に侵入することをより確実に防止することができる。
【００５６】
また、本発明の実施例に係る電気接続箱１は、鈍角形成屈曲部６１ａ，６２ａによって、水が滑らかにロアカバー５０の下方に誘導されるので、折り返し壁部６０内で水が滞留され、折り返し壁部６０の上方に溢れ出ることを防止することができる。
【００５７】
（変形例１）
次に、図１２を用いて本発明の実施例の電気接続箱１の変形例１について説明する。図１２は、本発明の実施例の変形例１の電気接続箱２の折り返し壁部７０周辺を電気接続箱２の斜め下方から視た図ある。
この変形例１の電気接続箱２は、折り返し壁部７０が、向かい合う溝側面５３ｂの一方の溝側面５３ｂから他方の溝側面５３ｂまで溝面５３ａを横切るように連続的に設けられていない点で実施例の電気接続箱１と異なる。
なお、その他の構成は実施例と同様であり、実施例と同一構成部分には同一符号を付している。
【００５８】
折り返し壁部７０は、下側の折り返し壁部７１と、上側の折り返し部７２とで２箇所に設けられ、各折り返し壁部７１，７２が、向かい合う溝側面５３ｂの間で部分的に設けられるようになっている。
【００５９】
この変形例１の電気接続箱２は、実施例の電気接続箱１に比して折り返し壁部７１，７２に誘導される水の割合が低下するものの、実施例の電気接続箱１と同様に、連接溝部５５の溝面５５ａをつたわって上方に移動される水が箱本体１０に到達される前に折り返し壁部７０によってロアカバー５０の下方に導出されるので、水がロアカバー５０の上下方向に直線状に延びる溝部をつたわって内部に侵入することを防止することができる。
【００６０】
（変形例２）
次に、図１３を用いて本発明の実施例の電気接続箱１の変形例２について説明する。図１３は、本発明の実施例の変形例２の電気接続箱３の折り返し壁部８０周辺を電気接続箱３の斜め下方から視た図ある。
この変形例２の電気接続箱３は、折り返し壁部８０が、１箇所のみに設けられている点で実施例の電気接続箱１と異なる。
なお、その他の構成は実施例と同様であり、実施例と同一構成部分には同一符号を付している。
【００６１】
この変形例２の電気接続箱３は、実施例の電気接続箱１と同様に、連接溝部５５の溝面５５ａをつたわって上方に移動される水が箱本体１０に到達される前に折り返し壁部８０によってロアカバー５０の下方に導出されるので、水がロアカバー５０の上下方向に直線状に延びる溝部をつたわって内部に侵入することを防止することができる。
【００６２】
（変形例３）
次に、図１４を用いて本発明の実施例の電気接続箱１の変形例３について説明する。図１４は、本発明の実施例の変形例３の電気接続箱４の折り返し部９０周辺の断面図である。
この変形例３の電気接続箱４は、折り返し壁部９０としての下側の折り返し壁部９１と、上側の折り返し壁部９２とが、溝面５５ａに対して鋭角を形成するように屈曲される点で実施例の電気接続箱１と異なる。
なお、その他の構成は実施例と同様であり、実施例と同一構成部分には同一符号を付している。
【００６３】
この変形例３の電気接続箱４は、実施例の電気接続箱１と同様に、連接溝部５５の溝面５５ａをつたわって上方に移動される水が箱本体１０に到達される前に折り返し壁部９０によってロアカバー５０の下方に導出されるので、水がロアカバー５０の上下方向に直線状に延びる溝部をつたわって内部に侵入することを防止することができる。
【００６４】
（変形例４）
次に、図１５を用いて本発明の実施例の電気接続箱１の変形例４について説明する。図１５は、本発明の実施例の変形例４の電気接続箱５の折り返し壁部１００周辺を電気接続箱５の斜め下方から視た図ある。
この変形例４の電気接続箱５は、補強用溝部５４に折り返し壁部１００が、さらに設けられてなる点で実施例の電気接続箱１と異なる。
なお、その他の構成は実施例と同様であり、実施例と同一構成部分には同一符号を付している。
【００６５】
折り返し壁部１００は、補強用溝部５４の溝面５４ａが下方に向けて折り返されるように形成された壁からなる。
【００６６】
この変形例４の電気接続箱５は、実施例の電気接続箱１と同様に、連接溝部５５の溝面５５ａをつたわって上方に移動される水が箱本体１０に到達される前に折り返し壁部１００によってロアカバー５０の下方に導出されるので、水がロアカバー５０の上下方向に直線状に延びる溝部をつたわって内部に侵入することを防止することができる。
しかも、補強用溝部５４の溝面５４ａをつたわって上方に移動される水が箱本体１０に到達される前にロアカバー５０の下方に導出されるようになっているのでさらに水がロアカバー５０の上下方向に直線状に延びる溝部をつたわって内部に侵入することを防止する効果を高めることができる。
【００６７】
なお、本発明の実施例に係る電気接続箱１，２，３，４，５は、折り返し壁部６０，７０，８０，９０，１００，３００がロアカバー５０の連接溝部５５、箱側溝部２０、さらには補強用溝部５４に設けられるものを例示したが、これに限らず、折り返し壁部が、上下方向に直線状に延びる溝部に設けられるようなっていれば、その他の溝部に設けられるようにしても構わない。
【００６８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６９】
１、２、３、４、５  電気接続箱
１０        箱本体
１０ａ      仕切り壁
１０ｂ      上端縁部
１０ｃ      下端縁部
１０ｄ      箱外面（カバー外面）
１１        カセットブロック
１１ａ      電気部品
１２        電気接続部材
１２ａ      接続部
２０        箱側溝部（溝部）
２０ａ      溝開口
２０ｂ      溝面
２１        サイドカバー係止部
２１ａ      弾性係合片
２１ｂ      突起部
３０        アッパーカバー
３０ａ      下端縁部
４０        サイドカバー
４１        板状基部
４１ａ      取り付け側の面
４１ｂ      外面
４２        電気接続部材固定部
４３        係合囲い壁部
４３ａ      囲い壁
４３ｂ      弾性片部
４３ｃ      突起部
５０        ロアカバー
５０ａ      上端縁部
５１        底壁
５２        周側壁
５２ａ      カバー外面
５３        ロアカバー側溝部（溝部）
５４        補強用溝部（溝部）
５４ａ      溝面
５４ｂ      溝側面
５５        連接溝部（溝部）
５５ａ      溝面
５５ｂ      溝側面
６０、７０、８０、９０、１００、３００  折り返し壁部
６１、７１、９１  下側の折り返し壁部
６１ａ      鈍角形成屈曲部
６２、７２、９２  上側の折り返し壁部
６２ａ      鈍角形成屈曲部
２００      収容カバー
４００      囲い壁部
【図１】
2014003880.tif 000003
【図２】
2014003880.tif 000004
【図３】
2014003880.tif 000005
【図４】
2014003880.tif 000006
【図５】
2014003880.tif 000007
【図６】
2014003880.tif 000008
【図７】
2014003880.tif 000009
【図８】
2014003880.tif 000010
【図９】
2014003880.tif 000011
【図１０】
2014003880.tif 000012
【図１１】
2014003880.tif 000013
【図１２】
2014003880.tif 000014
【図１３】
2014003880.tif 000015
【図１４】
2014003880.tif 000016
【図１５】
2014003880.tif 000017